【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
マシンツーマシン（Ｍ２Ｍ）サーバにおいて実行される方法であって、前記Ｍ２Ｍサーバは、リモートエンティティ管理（ＲＥＭ）に対するサービス能力（ＳＣ）、およびＲＥＭを実行するためのＲＥＭリソース構造を有し、前記方法は、
前記ＲＥＭリソース構造の下位のリソース構造の第１の要素を識別する識別子を含む、ＲＥＳＴｆｕｌメソッドを、Ｍ２Ｍネットワークアプリケーションから受信するステップであって、前記下位のリソース構造は、管理コマンドに対して構成されており、ならびに前記第１の要素は、前記管理コマンドの実行状態および実行モードのいずれかを設定するための機能を表している、ステップと、
前記機能を、デバイス管理サーバを介してアクセス可能なデバイスに対するデバイス管理コマンドに変換するステップと、
前記デバイス管理コマンドを、前記デバイス管理サーバに送信するステップと、
前記デバイス管理コマンドを呼び出すことに関連付けられた情報を含むレスポンスを、前記デバイス管理サーバから受信するステップと、
前記デバイス管理コマンドを呼び出すことに関連付けられた前記情報を、前記下位のリソース構造の第２の要素に格納するステップであって、前記第２の要素は、前記第１の要素にリンクされている、ステップと、
前記情報を、前記第２の要素から前記Ｍ２Ｍネットワークアプリケーションに提供するステップと
を備えたことを特徴とする方法。
【請求項２】
前記Ｍ２Ｍサーバおよび管理コマンドは、プロトコルの第１のセットにしたがって構成されており、前記デバイス管理サーバおよびデバイス管理コマンドは、プロトコルの第２のセットにしたがって構成されており、ならびに前記プロトコルの第２のセットは、前記プロトコルの第１のセットとは異なる少なくとも１つのプロトコルを備えていることを特徴とする請求項１に記載の方法。
【請求項３】
前記ＲＥＭリソース構造は、デバイス管理レイヤにしたがって、Ｍ２ＭデバイスおよびＭ２ＭゲートウェイのいずれかのＲＥＭを実行するための、別の下位のリソース構造を備えていることを特徴とする請求項１に記載の方法。
【請求項４】
別の下位のリソース構造の第１の要素を識別する、識別子を含む別のＲＥＳＴｆｕｌメソッドを、前記Ｍ２Ｍアプリケーションから受信するステップであって、前記別の下位のリソース構造は、管理コマンドに対して構成されており、ならびに前記第１の要素は、前記管理コマンドの実行状態および実行モードのいずれかを設定するための機能を表している、ステップと、
前記ＲＥＳＴｆｕｌメソッドに応答して、Ｍ２ＭデバイスまたはＭ２ＭゲートウェイのＲＥＭを実行するステップと
をさらに備えたことを特徴とする請求項１に記載の方法。
【請求項５】
Ｍ２ＭデバイスまたはＭ２ＭゲートウェイのＲＥＭを実行するステップは、
管理コマンドの実行状態および実行モードのいずれかを設定するための前記機能にしたがって、前記管理コマンドの現在の実行状態または実行モードのいずれかを変更する命令を、前記Ｍ２ＭデバイスまたはＭ２Ｍゲートウェイに送信するステップと、
前記管理コマンドの前記現在の実行状態および実行モードのいずれかを変更することに関連付けられた情報を含むレスポンスを、前記Ｍ２ＭデバイスまたはＭ２Ｍゲートウェイから受信するステップと、
前記管理コマンドの前記現在の実行状態および実行モードのいずれかを変更することに関連付けられた前記情報を、前記別の下位のリソース構造の第２の要素に格納するステップであって、前記第２の要素は、前記第１の要素にリンクされている、ステップと、
前記情報を、前記第２の要素から前記Ｍ２Ｍネットワークアプリケーションに提供するステップと
を備えていることを特徴とする請求項４に記載の方法。
【請求項６】
前記別の下位のリソース構造は、前記Ｍ２ＭデバイスまたはＭ２Ｍゲートウェイに関連付けられており、および、
前記Ｍ２ＭデバイスまたはＭ２ＭゲートウェイのＲＥＭを実行するステップは、前記Ｍ２Ｍサーバに、前記管理コマンドの現在の実行状態または実行モードのいずれかを変更する命令を送信させるように、前記別の下位のリソース構造を操作するステップを備えることを特徴とする請求項５に記載の方法。
【請求項７】
前記識別子は、前記ＲＥＭリソース構造の前記下位のリソース構造の前記第１の要素のユニフォームリソース識別子（uniform resource identifier）を備えていることを特徴とする請求項１に記載の方法。
【請求項８】
前記ＲＥＭリソース構造の前記下位のリソース構造の前記第１の要素は、下位のリソースおよび属性のいずれかを備えていることを特徴とする請求項１および７のいずれか一項に記載の方法。
【請求項９】
前記機能は、実行機能、中断機能、取消機能および再開機能のいずれかを備えることを特徴とする請求項１および７乃至８のいずれか一項に記載の方法。
【請求項１０】
前記ＲＥＳＴｆｕｌメソッドは、ＣＲＥＡＴＥ  ＲＥＳＴｆｕｌメソッド、ＲＥＴＲＩＥＶＥ  ＲＥＳＴｆｕｌメソッド、ＵＰＤＡＴＥ  ＲＥＳＴｆｕｌメソッドおよびＤＥＬＥＴＥ  ＲＥＳＴｆｕｌメソッドのうちの少なくとも１つを備えていることを特徴とする請求項１および７乃至９のいずれか一項に記載の方法。
【請求項１１】
マシンツーマシン（Ｍ２Ｍ）サーバにおいて実行される方法であって、前記Ｍ２Ｍサーバは、リモートエンティティ管理（ＲＥＭ）についてのサービス能力（ＳＣ）、およびＲＥＭを実行するためのＲＥＭリソース構造を有し、前記方法は、
前記ＲＥＭリソース構造の下位のリソース構造の要素を識別する識別子を含む、ＲＥＳＴｆｕｌメソッドを、Ｍ２Ｍネットワークアプリケーションから受信するステップであって、前記下位のリソース構造は、管理コマンドに対して構成されており、ならびに前記要素は、前記管理コマンドの実行状態および実行モードのいずれかを設定するための機能を表している、ステップと、
前記下位のリソース構造のインスタンスを作成するステップと、
前記機能を、デバイス管理サーバを介してアクセス可能なデバイスに対するデバイス管理コマンドに変換するステップと、
前記デバイス管理コマンドを、前記デバイス管理サーバに送信するステップと、
前記デバイス管理コマンドを呼び出すことに関連付けられた情報を含むレスポンスを、前記デバイス管理サーバから受信するステップと、
前記デバイス管理コマンドを呼び出すことに関連付けられた前記情報を、前記下位のリソース構造の前記インスタンスの要素に格納するステップと、
前記情報を、前記要素から前記Ｍ２Ｍネットワークアプリケーションに提供するステップと
を備えたことを特徴とする方法。
【請求項１２】
前記識別子は、前記ＲＥＭリソース構造の前記下位のリソース構造の前記要素のユニフォームリソース識別子（uniform resource identifier）を備えていることを特徴とする請求項１１に記載の方法。
【請求項１３】
前記ＲＥＭリソース構造の前記下位のリソース構造の前記要素は、下位のリソースおよび属性のいずれかを備えていることを特徴とする請求項１１乃至１２のいずれか一項に記載の方法。
【請求項１４】
前記機能は、実行機能、中断機能、取消機能および再開機能のいずれかを備えていることを特徴とする請求項１１乃至１３のいずれか一項に記載の方法。
【請求項１５】
前記ＲＥＳＴｆｕｌメソッドは、ＣＲＥＡＴＥ  ＲＥＳＴｆｕｌメソッド、ＲＥＴＲＩＥＶＥ  ＲＥＳＴｆｕｌメソッド、ＵＰＤＡＴＥ  ＲＥＳＴｆｕｌメソッドおよびＤＥＬＥＴＥ  ＲＥＳＴｆｕｌメソッドのうちの少なくとも１つを備えていることを特徴とする請求項１１乃至１４のいずれか一項に記載の方法。
【請求項１６】
前記下位のリソース構造のインスタンスを作成するステップは、前記ＲＥＳＴｆｕｌメソッドに応答して、前記下位のリソース構造のインスタンスを作成するステップを備えていることを特徴とする請求項１１乃至１５のいずれか一項に記載の方法。
【請求項１７】
リモートエンティティ管理（ＲＥＭ）に対するサービス能力で構成され、およびＲＥＭを実行するための下位のリソース構造を有するリソース構造で構成されたマシンツーマシン（Ｍ２Ｍ）サーバであって、
ＲＥＭリソース構造の下位のリソース構造の第１の要素を識別する識別子を含む、ＲＥＳＴｆｕｌメソッドを、Ｍ２Ｍネットワークアプリケーションから受信し、前記下位のリソース構造は、管理コマンドに対して構成されており、および前記第１の要素は、前記管理コマンドの実行状態と実行モードとのいずれかを設定するための機能を表しており、
前記機能を、デバイス管理サーバを介してアクセス可能なデバイスについてのデバイス管理コマンドに変換し、
前記デバイス管理コマンドを、前記デバイス管理サーバに送信し、
前記デバイス管理コマンドを呼び出すことに関連付けられた情報を含むレスポンスを、前記デバイス管理サーバから受信し、
前記デバイス管理コマンドを呼び出すことに関連付けられた前記情報を、前記下位のリソース構造の第２の要素に格納し、前記第２の要素は前記第１の要素にリンクされており、ならびに、
前記情報を、前記第２の要素から前記Ｍ２Ｍネットワークアプリケーションに提供する
ように構成されていることを特徴とするＭ２Ｍサーバ。
【請求項１８】
前記Ｍ２Ｍサーバおよび管理コマンドは、プロトコルの第１のセットにしたがって構成されており、前記デバイス管理サーバおよびデバイス管理コマンドは、プロトコルの第２のセットにしたがって構成されており、ならびに、前記プロトコルの第２のセットは、前記プロトコルの第１のセットとは異なる少なくとも１つのプロトコルを備えている、ことを特徴とする請求項１７に記載のＭ２Ｍサーバ。
【請求項１９】
前記ＲＥＭリソース構造は、デバイス管理レイヤにしたがって、Ｍ２ＭデバイスおよびＭ２ＭゲートウェイのいずれかのＲＥＭを実行するための、別の下位のリソース構造を備えていることを特徴とする請求項１７に記載のＭ２Ｍサーバ。
【請求項２０】
前記Ｍ２Ｍサーバは、
別のＲＥＳＴｆｕｌメソッドを、前記Ｍ２Ｍアプリケーションから受信し、前記別のＲＥＳＴｆｕｌメソッドは、別の下位のリソース構造の第１の要素を識別する識別子を含んでおり、前記別の下位のリソース構造は、管理コマンドに対して構成されており、および前記第１の要素は、前記管理コマンドの実行状態および実行モードのいずれかを設定するための機能を表しており、ならびに
前記ＲＥＳＴｆｕｌメソッドに応答して、Ｍ２ＭデバイスまたはＭ２ＭゲートウェイのＲＥＭを実行する
ようにさらに構成されていることを特徴とする請求項１７に記載のＭ２Ｍサーバ。
【請求項２１】
前記Ｍ２Ｍサーバは、少なくとも部分的に、
管理コマンドの実行状態および実行モードのいずれかを設定するための前記機能にしたがって、前記管理コマンドの現在の実行状態または実行モードのいずれかを変更する命令を、前記Ｍ２ＭデバイスまたはＭ２Ｍゲートウェイに送信し、
前記管理コマンドの前記現在の実行状態および実行モードのいずれかを変更することに関連付けられた情報を含むレスポンスを、前記Ｍ２ＭデバイスまたはＭ２Ｍゲートウェイから受信し、
前記管理コマンドの前記現在の実行状態および実行モードのいずれかを変更することに関連付けられた前記情報を、前記別の下位のリソース構造の第２の要素に格納し、前記第２の要素は前記第１の要素にリンクされており、ならびに、
前記情報を、前記第２の要素から前記Ｍ２Ｍネットワークアプリケーションに提供する
ことによって、Ｍ２ＭデバイスまたはＭ２ＭゲートウェイのＲＥＭを実行するように構成されていることを特徴とする請求項１７に記載のＭ２Ｍサーバ。
【請求項２２】
前記別の下位のリソース構造は、前記Ｍ２ＭデバイスまたはＭ２Ｍゲートウェイに関連付けられており、ならびに、
前記Ｍ２Ｍサーバは、少なくとも部分的に、前記Ｍ２Ｍサーバに、前記管理コマンドの現在の実行状態または実行モードのいずれかを変更する命令を送信させるように、前記別の下位のリソース構造を操作することによって、前記Ｍ２ＭデバイスまたはＭ２Ｍゲートウェイの前記ＲＥＭを実行するように構成されたことを特徴とする請求項１７に記載のＭ２Ｍサーバ。
【請求項２３】
前記識別子は、前記ＲＥＭリソース構造の前記下位のリソース構造の前記第１の要素のユニフォームリソース識別子（uniform resource identifier）を備えていることを特徴とする請求項１７に記載のＭ２Ｍサーバ。
【請求項２４】
前記ＲＥＭリソース構造の前記下位のリソース構造の前記第１の要素は、下位のリソースおよび属性のいずれかを備えていることを特徴とする請求項１７および２３のいずれか一項に記載のＭ２Ｍサーバ。
【請求項２５】
前記機能は、実行機能、中断機能、取消機能および再開機能のいずれかを備えていることを特徴とする請求項１７および２３乃至２４のいずれか一項に記載のＭ２Ｍサーバ。
【請求項２６】
前記ＲＥＳＴｆｕｌメソッドは、ＣＲＥＡＴＥ  ＲＥＳＴｆｕｌメソッド、ＲＥＴＲＩＥＶＥ  ＲＥＳＴｆｕｌメソッド、ＵＰＤＡＴＥ  ＲＥＳＴｆｕｌメソッドおよびＤＥＬＥＴＥ  ＲＥＳＴｆｕｌメソッドのうちの少なくとも１つを備えていることを特徴とする請求項１７および２３乃至２５のいずれか一項に記載のＭ２Ｍサーバ。
【請求項２７】
リモートエンティティ管理（ＲＥＭ）に対するサービス能力で構成され、およびＲＥＭを実行するための下位のリソース構造を有するリソース構造で構成されたマシンツーマシン（Ｍ２Ｍ）サーバであって、
ＲＥＭリソース構造の下位のリソース構造の要素を識別する識別子を含む、ＲＥＳＴｆｕｌメソッドを、Ｍ２Ｍネットワークアプリケーションから受信し、前記下位のリソース構造は、管理コマンドに対して構成されており、および前記要素は、前記管理コマンドの実行状態と実行モードとのいずれかを設定するための機能を表しており、
前記下位のリソース構造のインスタンスを作成し、
前記機能を、デバイス管理サーバを介してアクセス可能なデバイスについてのデバイス管理コマンドに変換し、
前記デバイス管理コマンドを、前記デバイス管理サーバに送信し、
前記デバイス管理コマンドを呼び出すことに関連付けられた情報を含むレスポンスを、前記デバイス管理サーバから受信し、
前記デバイス管理コマンドを呼び出すことに関連付けられた前記情報を、前記下位のリソース構造の前記インスタンスの要素に格納し、ならびに、
前記情報を、前記要素から前記Ｍ２Ｍネットワークアプリケーションに提供する
ように構成されていることを特徴とするＭ２Ｍサーバ。
【請求項２８】
前記識別子は、前記ＲＥＭリソース構造の前記下位のリソース構造の前記要素のユニフォームリソース識別子（uniform resource identifier）を備えていることを特徴とする請求項２７に記載のＭ２Ｍサーバ。
【請求項２９】
前記ＲＥＭリソース構造の前記下位のリソース構造の前記要素は、下位のリソースおよび属性のいずれかを備えていることを特徴とする請求項２７乃至２８のいずれか一項に記載のＭ２Ｍサーバ。
【請求項３０】
前記機能は、実行機能、中断機能、取消機能および再開機能のいずれかを備えていることを特徴とする請求項２７乃至２９のいずれか一項に記載のＭ２Ｍサーバ。
【請求項３１】
前記ＲＥＳＴｆｕｌメソッドは、ＣＲＥＡＴＥ  ＲＥＳＴｆｕｌメソッド、ＲＥＴＲＩＥＶＥ  ＲＥＳＴｆｕｌメソッド、ＵＰＤＡＴＥ  ＲＥＳＴｆｕｌメソッドおよびＤＥＬＥＴ  ＲＥＳＴｆｕｌメソッドのうちの少なくとも１つを備えていることを特徴とする請求項２７乃至３０のいずれか一項に記載のＭ２Ｍサーバ。
【請求項３２】
前記Ｍ２Ｍサーバは、前記ＲＥＳＴｆｕｌメソッドに応答して、前記下位のリソース構造のインスタンスを作成するように構成されていることを特徴とする請求項２７乃至３１のいずれか一項に記載のＭ２Ｍサーバ。